(57)【要約】【課題】非常に簡単な構成でＸ線造影糸が医療用ガーゼから抜け落ちるのを確実に防止することができ、しかも極めて容易に製造することができる医療医用ガーゼを提供する。【解決手段】経糸１４と緯糸１５が交互に交差して、Ｘ線造影糸１８が一体に織り込まれてなる医療用ガーゼ１０において、前記経糸１４及び緯糸１５よりも太い撚糸からなる補強糸１６が前記Ｘ線造影糸１８の一側に密に接して平織されてなる。また、前記補強糸１６が綿又はポリプロピレン樹脂よりなる場合がある。【選択図】図１
0003130538.tif 000002
【実用新案登録請求の範囲】
【請求項１】
経糸と緯糸が交互に交差して、Ｘ線造影糸が一体に織り込まれてなる医療用ガーゼにおいて、
前記経糸及び緯糸よりも太い撚糸からなる補強糸が前記Ｘ線造影糸の一側に密に接して平織されてなる医療用ガーゼ。
【請求項２】
前記補強糸が綿又はポリプロピレン樹脂よりなる請求項１に記載の医療用ガーゼ。
【考案の詳細な説明】
【技術分野】
【０００１】
本考案は、Ｘ線造影糸が一体に織り込まれてなる医療用ガーゼに関する。
【背景技術】
【０００２】
従来、外科手術等の際には、患者の切開部における出血や体液を吸収したりするのに医療用ガーゼが用いられている。施術後は体内に不要な異物を残さないために、前記ガーゼが全て除去される必要があるが、血液等を吸収した前記ガーゼは視認することが非常に困難であり、誤って体内に残留してしまうおそれがあった。
【０００３】
そこで、医療用ガーゼが体内に残留してしまった場合であっても、切開部をＸ線撮影することによって、残存している医療用ガーゼの有無を確認すると共に、その位置を正確に把握して該ガーゼを除去することができるＸ線造影糸を織り込んだ医療用ガーゼがある。しかしながら、このようなＸ線造影糸を単に織り込んだ医療用ガーゼは、合成樹脂繊維からなるＸ線造影糸が綿糸よりなるガーゼ本体から簡単に滑って抜け落ちやすいという問題があった。
【０００４】
そのため、Ｘ線造影糸の抜け落ちを防止した医療用ガーゼが提案されている（例えば、特許文献１参照）。この医療用ガーゼは、内視鏡用のもので、Ｘ線非透過性の熱可塑性樹脂製のＸ線造影糸を備え、前記Ｘ線造影糸がガーゼを構成する糸に熱融着されたものである。また、ガーゼにＸ線造影糸をミシン糸としてミシン縫いしたＸ線造影糸付き衛生材料も開示されている（例えば、特許文献２参照）。
【０００５】
しかしながら、これらの医療用ガーゼは、従来の経糸及び緯糸が平織されてなるガーゼの製法と比較して、工程数が増加して製造方法が極めて煩雑になる。そのため、従来のガーゼの製法を用いて製造することができ、しかもガーゼ本体からのＸ線造影糸の抜け落ちを確実に防止することができる医療用ガーゼが切望されている。
【特許文献１】特開２００２−５２０３８号公報
【特許文献２】特開２００３−３１９９６６号公報
【考案の開示】
【考案が解決しようとする課題】
【０００６】
本考案は前記の点に鑑みなされたものであり、非常に簡単な構成でＸ線造影糸が医療用ガーゼから抜け落ちるのを確実に防止することができ、しかも極めて容易に製造することができる医療医用ガーゼを提供するものである。
【課題を解決するための手段】
【０００７】
すなわち、請求項１の考案は、経糸と緯糸が交互に交差して、Ｘ線造影糸が一体に織り込まれてなる医療用ガーゼにおいて、前記経糸及び緯糸よりも太い撚糸からなる補強糸が前記Ｘ線造影糸の一側に密に接して平織されてなる医療用ガーゼに係る。
【０００８】
請求項２の考案は、前記補強糸が綿又はポリプロピレン樹脂よりなる請求項１に記載の医療用ガーゼに係る。
【考案の効果】
【０００９】
請求項１の考案に係る医療用ガーゼによれば、経糸と緯糸が交互に交差して、Ｘ線造影糸が一体に織り込まれてなる医療用ガーゼにおいて、前記経糸及び緯糸よりも太い撚糸からなる補強糸が前記Ｘ線造影糸の一側に密に接して平織されてなるため、Ｘ線造影糸が前記医療用ガーゼから抜け落ちにくい。また、極めて容易に製造することができる。
【００１０】
請求項２の考案によれば、請求項１において、前記補強糸が綿又はポリプロピレン樹脂よりなるため、Ｘ線造影糸の抜け落ちをより確実に防止することができる。
【考案を実施するための最良の形態】
【００１１】
以下添付の図面に従ってこの考案を詳細に説明する。図１はこの考案の医療用ガーゼの一実施例を示す全体概略平面図、図２は図１の実施例の要部を示す拡大平面図である。
【００１２】
図１及び図２に示すように、この医療用ガーゼ１０は、経糸１４と緯糸１５が交互に交差して、Ｘ線造影糸１８が一体に織り込まれてなり、前記経糸１４及び緯糸１５よりも太い撚糸からなる補強糸１６が前記Ｘ線造影糸１８の一側に密に接して平織されてなるものである。
【００１３】
経糸１４と緯糸１５は、交互に交差して平織のガーゼ本体１１が形成される。経糸１４及び緯糸１５の太さ、ガーゼ本体の大きさは特に限定されないが、実施例では、経糸１４及び緯糸１５は綿糸よりなり、共に４０番手（単位重さ約４５３．５ｇあたりの長さが約７６８ｍ×４０）の綿糸が用いられて平織され、ガーゼ本体１１の大きさは約２７×２７ｃｍ程度に構成される。なお、図１の実施例に示されるように、医療用ガーゼ１０において、原反の耳である左右の側端部１３，１３及び上下端部１２，１２では、それぞれ経糸１４及び緯糸１５が密に平織されている。
【００１４】
Ｘ線造影糸１８は、経糸１４及び緯糸１５と共に一体に織り込まれる。前記Ｘ線造影糸１８は、従来公知のものが使用され、例えば、ポリプロピレン樹脂、ポリエステル樹脂、ポリエチレン樹脂、ポリ塩化ビニル樹脂等の合成樹脂繊維に硫酸バリウムが添加されているもの等が挙げられる。図２の実施例から理解されるように、Ｘ線造影糸１８は、補強糸１６及び緯糸１５との摩擦抵抗が大きくなるように、Ｘ線造影糸を構成する複数の合成樹脂繊維と他の糸部材１９と共に撚糸とされているものが好ましい。なお、前記糸部材１９は、綿糸やポリプロピレン、ポリエチレン等の合成樹脂繊維などにより構成される。
【００１５】
補強糸１６は、前記経糸１４及び緯糸１５よりも太い撚糸からなり、前記Ｘ線造影糸１８の一側に密に接して平織される。補強糸１６が撚糸とされることで補強糸１６の表面が凹凸状になり、緯糸１５やＸ線造影糸１８との接触面における摩擦抵抗が大きくなる。そのため、図２の矢印Ａ方向及び矢印Ｂ方向へ滑りにくくなる。さらに、補強糸１６が経糸１４及び緯糸１５より太い糸であるため、Ｘ線造影糸１８及び補強糸１６に直交する緯糸１５（補強糸が緯糸と平行である場合は経糸）と接触する表面積が大きくなり、その分だけ補強糸１６とＸ線造影糸１８及びその上下に交差する多数の緯糸１５との摩擦抵抗が増加して、補強糸１６にＸ線造影糸１８が確実に保持されて、医療用ガーゼ１０からＸ線造影糸１８が滑りにくくなる。
【００１６】
補強糸１６は、綿やポリプロピレン樹脂、ポリエチレン樹脂、ポリエステル樹脂、ポリ塩化ビニル樹脂等の合成樹脂繊維などからなる複数本の糸が公知の手法により経糸１４や緯糸１５よりも太くなるように撚糸とされる。なお、前記補強糸１６は全て同じ材質の糸で構成されてもよいし、ポリプロピレン樹脂よりなる合成樹脂繊維と綿糸が一緒に撚られて補強糸とされるなど、材質や太さの異なる糸が適宜組合わされて撚糸とされてもよい。また、請求項２の考案として規定するように、経糸１４及び緯糸１５との滑り難さ及びコストの観点から、前記補強糸１６は綿又はポリプロピレン樹脂よりなることが好ましい。実施例として、例えば、経糸及び緯糸として４０番手の綿糸を用いた場合には、補強糸は、１０番手（単位重さ約４５３．５ｇあたりの長さが約７６８ｍ×１０）から６０番手（単位重さ約４５３．５ｇあたりの長さが約７６８ｍ×６０）程度の綿糸が約２〜８本で撚糸とされる。
【００１７】
前記補強糸１６は前記Ｘ線造影糸１８の一側に密に接して平織される。図１及び図２の実施例に示すように、医療用ガーゼ１０において、補強糸１６とＸ線造影糸１８の表面が前記各糸の長手方向（図２の矢印Ａ方向）の全体に渡り密に接している。上述のように、補強糸１６とＸ線造影糸１８の表面は互いに凹凸状であり、図２の矢印Ａ方向（つまり、Ｘ線造影糸１８がガーゼから抜け落ちる方向）において、Ｘ線造影糸１８と補強糸１６が接している表面の摩擦抵抗はより一層増加して、Ｘ線造影糸１８が前記ガーゼ１０から脱落することなく補強糸１６に確実に保持される。さらに、補強糸１６とＸ線造影糸１８は、複数箇所で上下に交互に交差する多数の緯糸１５との表面の摩擦抵抗によっても、医療用ガーゼ１０からのＸ線造影糸１８の抜け落ちが防止される。
【００１８】
また、この考案の医療用ガーゼ１０は、従来公知のガーゼの製法を利用することができる。実施例では医療用ガーゼ１０の経糸１４のうちの２本が補強糸１６及びＸ線造影糸１８に置換されるようにして構成される。そのため、別途複雑な工程を必要とせず、極めて容易に製造することが可能である。なお、本考案の医療用ガーゼは、前述の実施例のみに限定されるものではなく、Ｘ線造影糸及び補強糸が、緯糸と平行になるように構成されたり、Ｘ線造影糸が医療用ガーゼに複数本織り込まれるようにしてもよく、この考案の趣旨を逸脱しない範囲において、構成の一部を適宜に変更して実施することができる。
【図面の簡単な説明】
【００１９】
【図１】この考案の医療用ガーゼの一実施例を示す全体概略平面図である。
【図２】図１の実施例の要部を示す拡大平面図である。
【符号の説明】
【００２０】
１０  医療用ガーゼ
１４  経糸
１５  緯糸
１６  補強糸
１８  Ｘ線造影糸
【図１】
0003130538.tif 000003
【図２】
0003130538.tif 000004